(57)【要約】【課題】トレイの側部に設けたラックにモータによって回転駆動されるギアが噛み合って搬入・搬出が行われるディスク装置において、ディスク交換位置に搬出されたトレイを小さな力で押圧して搬入することが出来る搬入開始機構の提供。【解決手段】トレイ１の側部に設けたラック２の後方端部にはボス１１を設け、そして上記ラック２と噛み合う上記ギア外周には欠歯部を設けると共にカム溝１２を形成している。トレイ１が搬出される場合にボス１１はカム溝１２に係合し、トレイ１を搬入する際にはギア４が回転することなく該トレイ１が所定の距離だけ後退動することが出来る大きさのカム溝１２としている。【選択図】        図４
2005050399.tif 000002
【特許請求の範囲】
【請求項１】
トレイの側部に設けたラックにモータによって回転駆動されるギアが噛み合って搬入・搬出が行われるディスク装置であって、ディスク交換位置に搬出されたトレイを押圧して搬入する搬入開始機構において、トレイの側部に設けたラックの後方端部にはボスを設け、そして上記ラックと噛み合う上記ギア外周には欠歯部を設けると共にカム溝を形成し、トレイが搬出される場合にボスがカム溝に係合し、トレイを搬入する際にはギアが回転することなく該トレイが所定の距離だけ後退動することが出来る大きさのカム溝としたことを特徴とするディスク装置のトレイ搬入開始機構。
【請求項２】
上記ボスをラックとほぼ同一面に設けると共に、ラック歯と同一方向へ大きく突出した請求項１記載のディスク装置のトレイ搬入開始機構。
【発明の詳細な説明】
【０００１】
【発明の属する技術分野】
本発明はＣＤ、ＤＶＤ、ＭＤ等の光ディスクや光磁気ディスクを再生・記録する為の装置であって、ディスク交換位置にあるトレイを装置内へ搬入する際の負荷を軽減して操作性の向上を図ったディスク装置におけるトレイ搬入開始機構に関するものである。
【０００２】
【従来の技術】
ＣＤ、ＤＶＤ等のディスクを再生する為のディスク装置は、ディスクを載せて出し入れするトレイ、ディスクを回転させる駆動部、そしてピックアップ及び該ピックアップを移動させる送り装置等から成っている。これら各構成部の動きに必要なモータが備わって制御され、各モータを介してそれぞれ必要な動作を行なうことが出来る。
【０００３】
ディスクを載置して装置本体から搬出・搬入するトレイの場合も同じく、該トレイはモータにて駆動されるが、その為にトレイの側部に設けているラックにはギアが噛み合い、ギアはモータにて回転駆動されている。そこで、ディスク交換位置にあるトレイを装置内へ搬入する場合、操作ボタンをＯＮすることで上記モータを駆動することも可能であるが、操作ボタンをフロントパネルに取付けることで基板及びスイッチが必要となり、その分だけコスト高となる。
【０００４】
そこで、トレイを手で押して僅かに後退したところで、該トレイの位置を検出してモータが起動し、それ以降はモータにて装置内へ搬入されるように構成している場合がある。しかし、このようなトレイ搬入機構とすれば、トレイを後退させることでラックに噛み合っているギアが回転し、該ギアはモータの主軸に取付けてあるギアと連動する。従って、該トレイを後退させるにはある大きさの負荷が作用して重たくなり、トレイの操作性が悪くなる。
【０００５】
このトレイの負荷を軽減する為に、すなわち軽い押圧力で後退するように構成したトレイ搬入機構が知られている。例えば、実用新案登録第３０８８８５１号に係る「ディスク記録再生装置」は、装置本体のトレイ収納部にレールを設け、トレイにはラックを設けると共にラックの後端部を欠歯部とし、この欠歯部に重なるようにラック片をラック上に摺動自在に取付けている。そして、トレイの後部両側に板バネを取付け、これにより、トレイを押込む際にはラックとモータの駆動軸に連結されたピニオンとの噛み合いが外れている為に、板バネによる付勢力に対抗する僅かな力でトレイをプッシュすることが出来るようにしている。
【０００６】
しかし、上記のディスク記録再生装置ではラック片を必要とし、該ラック片はラックに重ねられて摺動可能に取付けられなくてはならず、部品点数の増加と該ラック片を組付ける作業工数が増大する。そして、トレイの搬入・搬出時にはトレイ片が所定の範囲（Ｌ）内で摺動するように長穴が形成されてトレイから起立したピンに当って連動する機構になっているが、長穴端がピンに当る度に衝突音が発生する。時には、何らかの原因でラック片の摺動抵抗が大きくなって機能しないこともある。
【０００７】
又、該ディスク記録再生装置には板バネが使用されて、搬出したトレイを位置決めする機能を有しているが、該板バネはトレイと共に移動する為に、該板バネの収容部及びレールが必要と成る。その結果、装置の幅方向寸法が拡大する。そして、該板バネの取り付け位置により、トレイの飛び出し量及びラックがピニオンから離れるタイミングが変化し、個々の装置でのバラツキを生じ、品質が低下する。更に、該板バネはトレイの搬出・搬入に伴う移動に際して、レールに摩擦接触して摺動する為に、余分な動力も必要と成る。
【０００８】
【発明が解決しようとする課題】
このように、従来のディスク装置におけるトレイの搬入開始機構には上記のごとき問題がある。本発明が解決しようとする課題はこの問題点であり、至って簡単な機構でトレイの搬入開始時の負荷を小さくしたトレイ搬入開始機構を提供する。
【０００９】
【課題を解決する為の手段】
本発明のディスク装置におけるトレイ搬入機構は、搬入開始時に作用する負荷を小さくしている。この際、部品点数の増加をもたらすことなく、組立て工数を増やすことなく、又ディスク装置の小型化を可能にしたトレイ搬入開始機構である。トレイの側部にはラックが設けられ、該ラックにはモータにて回転駆動されるギアが噛み合っている。
【００１０】
そして上記ラックの後端部にボス（突起部）が設けられ、又ギアの外周にはカム溝が形成されていて、トレイがほぼ搬出終了したところで上記ボスはカム溝に係合することが出来る。トレイはギアの回転によってディスク交換位置まで搬出されるが、この際、ラック後端部に設けているボスはカム溝に係合して押出される。すなわち、ラックが切れたところでカム溝にボスが係合してギアの回転と共にボスを押出す。
【００１１】
カム溝はギア外周部に所定の範囲（大きさ）で形成され、カム溝の後方端にボスが当ってトレイが搬出され、ディスク交換位置に達したところでカム溝の前方端にボスが接する手前の位置までギアは逆転する。従って、トレイのディスク交換位置は一定に定まり、又ラックはカム溝の範囲内で後退動することが出来、すなわちラックはギアに噛み合うことなく後退動することが可能と成る。従って、ギアが回転しない為に、トレイの押圧力は小さく操作性は向上する。以下、本発明に係る実施例を図面に基づいて詳細に説明する。
【００１２】
【実施例】
図１は本発明のディスク装置を示している平面図であり、トレイ１が搬出されて開いている状態を示している。トレイ１の上面には円形の浅い溝が形成されていて、該溝にディスクが嵌ってセットされる。又下面側にはラック２が前後方向に設けられ、該ラック２に沿って概略Ｌ型のガイド溝３を設けている。そしてラック２にはギア４が噛み合い、ガイド溝３にはカムロッドボス５が遊嵌している。
【００１３】
上記のギア４はモータ６にて回転駆動され、該ギア４が回転することでラック２及びトレイ１は後退して装置内へ搬入される。該トレイ１は定められた距離を前進、後退動することで開閉することになるが、概略Ｌ型のガイド溝３はラック２と平行を成す縦ガイド溝７とラック２に対して垂直を成す横ガイド溝８、及び縦ガイド溝７と横ガイド溝８の間に形成されるコーナーガイド溝９から成っている。又、縦ガイド溝７の後方端部は湾曲して延びている。
【００１４】
従って、トレイ１が搬出されて開く為に前進する場合、縦ガイド溝７に遊嵌しているカムロッドボス５が湾曲部に差し掛かることで該トレイ１は停止する。又トレイ１が搬入されて閉じる為に後退する場合、縦ガイド溝７に遊嵌しているカムロッドボス５がコーナーガイド溝９に差し掛かることで該トレイ１は停止する。すなわち、ガイド溝３に沿ってカムロッドボス５が動くことで、本体と成るカムロッド１０が移動し、この動きを検出することでトレイ１が停止するように成っている。
【００１５】
トレイ１はフロントパネルに設けているイジェクトボタンを押すことで、モータ６が起動してギア４が回転し、ラック２を送り出すと共にトレイ１が搬出されてディスク交換位置にて停止する。逆に、ディスク交換位置にあるトレイ１を装置内のディスク再生位置へ、又はディスク待機位置へ搬入する際には、トレイ先端を押圧して後退することで、トレイ１の動きを感知してモータ６が起動し、ギア４が回転してラック２を送り込む。
【００１６】
ところで、本発明に係るトレイ搬入開始機構は、トレイ１を装置内へ搬入する際に押圧する負荷（力）が小さく成るように構成している。すなわち、トレイ１を後退させてもギア４が回転しないように、そしてギア４と噛み合うギア機構及びモータ６が回転しないような構造となっている。
【００１７】
図２は本発明のトレイ搬入開始機構を示している。同図はトレイ１が搬出完了してディスク交換位置にある場合を示しているが、ラック２はギア４と噛み合って、ギア４の回転にて送り出され、トレイ１が搬出される。ところが、ラック２は適当な位置で無くなり、ギア４との噛み合いから離れる。
【００１８】
そして、ラック２の後方にはボス１１が突出し、又ギア４の外周にはカム溝１２が形成されている。ここで、ボス１１の形状及びその位置や向きは限定しないが、同図に示すボス１１はラック２と同一面に設けられ、ギア４の方向へ突出している。ギア４が回転してトレイ１を搬出してラック２と離れ、ラック２がギア４から離れるタイミングに合わせてカム溝１２はボス１１と係合する。トレイ１はカム溝１２がボス１１と係合してギア４が僅かに回転したところで停止する。この際、ボス１１はカム溝１２の後方端に接している。
【００１９】
図３はトレイ１を装置内へ搬入する場合である。トレイ１を矢印方向へ押圧するならば、該トレイ１は後退するがギア４は回転しない。すなわち、トレイ１と共にボス１１が後退するが、該ボス１１はギア４のカム溝１２に嵌っていて、ギア４が回転しないフリーな距離Ｌが設けられ、トレイ１は距離Ｌだけ後退したところでギア４の回転を開始する。
【００２０】
ギア４が回転し始めると同時にラック２はギア４と噛み合い、モータ６が起動してギア４が回転駆動され、ラック２を送り込むことが出来る。すなわち、トレイ１はギア４と噛み合うことなく距離Ｌだけ後退し、その後、ギア４にラック２が噛み合って駆動される。
【００２１】
図４はギア４とラック２との関係を示している。
（１）はトレイ１を搬出する場合であり、ギア４はラック２と噛み合って、ギア  ４の回転に伴ってラック２及びトレイ１を搬出移動する。
（２）はトレイ１が搬出されてディスク交換位置近傍に達したところで、ギア４  はラック２から離れる。すなわち、ギア４は欠歯部を有し、ギア４とラック２  との噛み合い状態が終了する。そして、ラック後端に設けているボス１１がギ  ア４の欠歯部外周に形成しているカム溝１２に係合する。
（３）カム溝１２に係合したボス１１はギア４の回転によって押出され、ラック  ２及びトレイ１は所定のディスク交換位置にて停止する。
（４）ギア４の回転が停止したところで、ギア４は逆転してカム溝１２の前方端  がボス１１に接する手前で停止する。すなわち、ボス１１はカム溝１２の後方  端に当って押出され、該カム溝１２の大きさに相当する角度だけ逆転して停止  する。
【００２２】
上記（４）の状態が前記図３に示す場合に相当し、ボス１１がカム溝１２の後方端１３に当るまで後退することが出来、ギア４は回転せずに停止状態にある。該ラック２及びギア４は樹脂を材質として成形され、欠歯部及びカム溝を有すギアであっても成形することは容易である。そして、本発明が対象とするディスク装置には複数枚のトレイを備えたディスクチェンジャーをも含める。
以上述べたように、本発明のトレイ搬入開始機構は、ラックの後方端部にボスを設け、ラックと噛み合うギアの外周にはボスが係合するカム溝を形成したものであり、次のような効果を得ることが出来る。
【００２３】
【発明の効果】
本発明のディスク装置のトレイ搬入開始機構は、ラックに噛み合って該ラックを移動させるギアの外周にはカム溝が形成され、トレイが搬出されたところで該カム溝にラック後方端部に設けたボスが係合する。そして、このカム溝はボスが自由に移動できる大きさと成っている為に、トレイを搬入する際にトレイ先端を押圧して後退させる場合、ボスがカム溝の後方端に当るまでギアは回転しないで停止している。ラック後方に設けるボスを、該ラックと同一面でラックと同じ向きを成して突出させるならば成形し易く、その強度は高く成り、そしてカム溝に係合し易い歯型形状とすることが出来る。
【００２４】
従って、モータによって該ギアを回転駆動するギア機構が作動しない為にトレイに作用する負荷は小さく、軽い力で押圧することが出来、ボスがカム溝の後方端に当ると共にラックに噛み合ったところでギアが回転し、トレイを搬入することが出来、トレイの操作性は向上する。
【００２５】
そして、本発明のトレイ搬入開始機構は、ギアの一部に欠歯部を設けると共にカム溝を形成するだけで特別な部品を必要とせず、部品点数においては従来のトレイ搬送装置と変わりはない。その為に組付け作業工数の増大もなく、ディスク装置の製作コストを抑えることが出来る。そして、ギアの回転角を規制するだけでトレイが搬出されるディスク交換位置を一定化出来る。又、本発明のディスク装置では、特別な部品を用いない為に、すなわちラックの後端部にボスを設けると共に、ギアにカム溝を形成するだけであり、ディスク装置の幅寸法を小さく抑えることも可能である。
【図面の簡単な説明】
【図１】トレイが搬出された場合のディスク装置。
【図２】本発明のトレイ搬入開始機構の実施例で、トレイが搬出される場合。
【図３】本発明のトレイ搬入開始機構の実施例で、トレイが搬入される場合。
【図４】ギアとラックの関係。
【符号の説明】
１  トレイ
２  ラック
３  ガイド溝
４  ギア
５  カムロッドボス
６  モータ
７  縦ガイド溝
８  横ガイド溝
９  コーナーガイド溝
１０  カムロッド
１１  ボス
１２  カム溝
１３  後方端
【図１】
2005050399.tif 000003
【図２】
2005050399.tif 000004
【図３】
2005050399.tif 000005
【図４】
2005050399.tif 000006